【事件の表示】
　特願２０１６−５０２０７３「二酸化炭素循環作動流体を用いる高効率発電システムおよび方法」拒絶査定不服審判事件〔平成２６年９月２５日国際公開、ＷＯ２０１４／１５１６５６、平成２８年４月２５日国内公表、特表２０１６−５１２３０２〕について、次のとおり審決する。
【結　論】
　本件審判の請求は、成り立たない。
【理　由】
第１　手続の経緯
　本願は、２０１４年（平成２６年）３月１３日（パリ条約による優先権主張外国庁受理２０１３年（平成２５年）３月１５日（ＵＳ）アメリカ合衆国）を国際出願日とする出願であって、平成２９年１１月２４日付け（発送日：平成２９年１２月５日）で拒絶の理由が通知され、その指定期間内の平成３０年３月５日に意見書及び手続補正書が提出されたが、平成３０年３月２８日付け（発送日：平成３０年４月３日）で拒絶査定がされ、これに対し、平成３０年８月１日に拒絶査定不服審判が請求されたものである。
第２　本願発明
　本願の請求項１ないし３５に係る発明は、平成３０年３月５日の手続補正により補正された特許請求の範囲の請求項１ないし３５に記載された事項により特定されるものであるところ、その請求項１に係る発明（以下「本願発明」という。）は、以下のとおりのものである。
　「発電方法であって、
　最後のタービンから最後のタービン排気流を出力するように、少なくとも１２ＭＰａの圧力の圧縮再利用ＣＯ２流を一連の第１のタービンおよび前記最後のタービン全体に少なくとも２０の圧力比で膨張させることと、
　前記最後のタービン内へ通す前に、燃焼器において少なくとも８００℃の温度の燃焼器排気流を形成するように酸化剤および前記第１のタービン排気流の存在下で炭化水素または炭素質燃料を燃焼させることによって、前記第１のタービンからの排気流を加熱することと、
　再生熱交換器において前記最後のタービン排気流を冷却することと、
　前記再利用ＣＯ２流を形成するために、前記冷却タービン排気流からの前記ＣＯ２の少なくとも一部を隔離することと、
　前記再利用ＣＯ２流を圧縮することと、
　前記再利用ＣＯ２流を前記一連のタービンに通すことと、
　を含む、発電方法。」
第３　拒絶査定の概要
　平成３０年３月２８日付けの拒絶査定の概要は、以下のとおりのものである。
　この出願については、平成２９年１１月２４日付け拒絶理由通知書に記載した理由１によって、拒絶をすべきものです。
　なお、意見書及び手続補正書の内容を検討しましたが、拒絶理由を覆すに足りる根拠が見いだせません。
備考
●理由１（特許法第２９条第２項）について
・請求項　　　１−３，２１−２３，２５
・引用文献等　１−２
＜引用文献等一覧＞
１．米国特許第４４９８２８９号明細書
２．国際公開第２０１２／００３０７９号
　また、平成２９年１１月２４日付けの拒絶理由通知書により通知された拒絶理由における理由１に係る拒絶理由の概要は、以下のとおりものものである。
　１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１について
・請求項　　　１−３
・引用文献等　１−２
＜引用文献等一覧＞
１．米国特許第４４９８２８９号明細書
２．国際公開第２０１２／００３０７９号
第４　引用文献の記載事項
１　引用文献１
　原査定の拒絶の理由で引用された、本願の優先日前に頒布された又は電気通信回線を通じて公衆に利用可能となった引用文献である米国特許第４４９８２８９号明細書（以下、「引用文献１」という。）には、「CARBON DIOXIDE POWER CYCLE」に関して、図面（特に、ＦＩＧ１を参照。）とともに次の記載がある（下線は、理解の一助のために当審が付与したものである。以下同様。）。
（ア）「It is therefore an object of this invention to provide an improved carbon dioxide power system and method which exhibits enhanced energy and power generation efficiency over prior indirect and direct power systems.
　It is a further object of this inventin to provide a carbon dioxide power system and method which requires smaller and less expensive equipment than prior indirect power systems.
　It is a further object of this invention to provide a carbon dioxide power system and method in which carbon dioxide working fluid is recycled for combustion to provide energy savings and in which such carbon dioxide may be tapped for a wide variety of ancillary uses.
　It is a futher object of this invention to provide a carbon dioxide power system and method which is readily adaptable for use with an air separation plant.
　It is a further object of the invention to provide a carbon dioxide power system and method which may provide rare noble elements from its working fluid.
　It is a further object of this invention to provide a carbon dioxide power system and method which is largely pollution free.
　This invention features a direct fired power system generating and employing a combustion gas which includes carbon dioxide as a working fluid. By direct fired is meant that the combustion product itself is used to provide power generation and thus a conventional boiler and heat exchanger are not needed. Carbon dioxide (CO2) is the working fluid of the system, (i.e. it undergoes turbine expansion to provide power and recompression for reuse.」（第２欄１５行ないし４７行）
（当審仮訳）
「それ故、従来の間接および直接発電システムと比べて改善されたエネルギーおよび発電効率を示す改良された二酸化炭素発電システム及び方法を提供することが、本発明の目的である。
　従来の間接的電力システムに比べて、より小さく、より費用のかからない装置を必要とする二酸化炭素発電システムおよび方法を提供することが、本発明のさらなる目的である。
　エネルギーの節約を提供するため、二酸化炭素の作動流体が燃焼のために再循環され、そのような二酸化炭素は様々な補助用途のために使用されてもよい二酸化炭素発電システム及び方法を提供することが、本発明の更なる目的である。
　空気分離プラントとの使用に容易に適用できる二酸化炭素発電システム及び方法を提供することが、本発明のさらなる目的である。
　その作動流体から稀金属要素を提供する二酸化炭素発電システム及び方法を提供することが、本発明のさらなる目的である。
　大部分が無害な二酸化炭素発電システム及び方法を提供することが、本発明の更なる目的である。
　本発明は、作動流体として二酸化炭素を含む燃焼ガスを生成し用いる直接燃焼型発電装置であることを特徴とする。「直接燃焼」は、燃焼生成物自体が電力生成を提供するために使用され、従来のボイラや熱交換器が必要とされないことを意味する。二酸化炭素(CO2)は、システムの作動流体である(すなわち、それは、再利用のための再圧縮を提供するためのタービンの膨張を行う。）」
（イ）「
There is shown in FIG.1 a carbon dioxide power system 10 according to this invention. 
A fossil fuel such as natural gas or a distillate typically in gaseous or liquid form is also provided to chamber 14. Recycled carbon dioxide (CO
2
) is also added at a supercritical pressure to the mixture which is then burned within chamber 14 to provide a combustion gas (which includes carbon dioxide, water and perhaps argon or other noble gas).
This gas is vented from chamber 14 at a pressure at or above 1068.7 psi (the critical pressure of carbon dioxide). For example, the combustion gas may be vented at a pressure of 3000 psi and a temperature of approximately 1265℃.
Specific examples of pressure and temperatures are provided therein as merely illustrative of representative values of this invention and should not be construed as limiting the ranges provided in the claims. The gas is primarily CO
2
 with small percentage of steam and trace elements. The combustion gas is expanded through a turbine 16 and exhausted therefrom at a subcritical pressure of 588 psi and a temperature of 936℃. Turbine 16 is thus operated in a conventional manner to drive a generator 18, which converts the turbine's rotary motion to electrical power.
 It is possible to utilize the shaft power derived from turbine 16 to drive ancillary equipment such as pumps, etc. Such a connector, 23a, is shown from generator 18 to pump 24. The shaft power from turbine 21, described hereinafter, is thus available for other purposes.
 
A reheating burner 20 connected to turbine 16 reheats the combustion gas to a temperature of 1265℃. Note that additional fuel and O
2
 may be added thereto.
This gas is again permitted to expand through a turbine 21 such that the gas is exhausted therefrom at a reduced temperature of 1007℃. and pressure of 294 psi. Turbine 21 is mechanically connected to operate a generator 22 and thus provide electrical power which may be utilized via line 23 to operate a pump 24 which is more fully described hereinafter.
 
A heat exchanger 26 includes a duct 28 which accommodates combustion gas received from turbine 21. A duct 30 accommodates recycled carbon dioxide which has a low temperature of approximately 31.1℃. and has been compressed into a supercritical form as will be described hereinafter. The combustion gas in duct 28 transfers heat to the carbon dioxide in duct 30. Accordingly, the combustion gas is cooled to a temperature of 68℃. while maintaining a subcritical pressure of 294 psi.
 The remaining combustion gas (primarily or entirely carbon dioxide) passes through a duct 34 of a condensor 33. Cooling water passes through a second duct 36 of condensor 33 and absorbs heat from the combustion gas to cool the gas to or slightly above the critical temperature of carbon dioxide (i.e. to approximately 31℃.). Pressure following condensation remains low at approximately 294 psi.
 
At this point in the cycle, the excess carbon dioxide generated by combustion may be drawn off by a valve 38. Valuable CO
2
 may thus be put to uses such as for injection into viscous oil deposits for enabling enhanced recovery therefrom or for solvent processes.
 
Remaining carbon dioxide combustion gas is compressed by a compressor 42 to a pressure equal to or slightly above 1068.7 psi; in FIG.1, a pressure of 1068.7 psi is provided. Such compression raises the temperature of the carbon dioxide to 76℃.
 This gas is then passed through a duct 43 of a second condensor 44 such that cooling water passing through a second duct 46 cools the carbon dioxide to slightly below, at, or slightly above its critical temperature, for example to 31.0℃. Argon or other noble or inert gases present in the combustion gas may be readily removed via a valve 47. The gaseous or quasi-liquid carbon dioxide is then compressed by a supercritical pump 24 to a supercritical (i.e. above 1068.7 psi) pressure of 3000 psi to provide a recycled carbon dioxide working fluid in a supercritical phase and having a temperature of 68℃. Supercritical CO2 may also be tapped by valve V for use in enhanced oil recovery or solvent processes or simply sold to industry. Note that pump 24 may be operated by either of generators as heretofore described. This recycled carbon dioxide passes in heat exchange relationship with the high temperature combustion gas in heat exchanger 26. The recycled carbon dioxide at supercritical pressure is thus heated to a temperature of 922℃. In this manner, a large amount of the carbon dioxide enthalpy is recovered and energy efficiency is enhanced. 
The effectively preheated recycled carbon dioxide is provided to combustion chamber 14.
 
As indicated by the alternative paths taken by the recycled carbon dioxide two alternative direct fired techniques are possible: carbon dioxide may be mixed completely with oxygen and fuel in burner 14 prior to combustion in Burner 14. Burner 14 may comprise a catalytic burner to effect complete combustion of fuel and oxygen. Alternatively, a portion 50 of the preheated CO
2
 may be mixed with the combustion product prior to expansion through turbine 16 and heating in burner 20.
（当審仮訳）
「
本発明に従った二酸化炭素発電システム10は、図1に示されている。
このガスは、1068.7psiまたはそれ以上の圧力(二酸化炭素の臨界圧力)で燃焼室14から排気される。例えば、燃焼ガスは、3000psiの圧力及び約1265℃の温度で排気される。
圧力および温度の具体的な例は本発明の代表的な値の単なる例示として提供され、特許請求の範囲に提供される範囲を限定するものとして解釈されるべきではない。ガスは、主として二酸化炭素で、わずかな割合の水蒸気と微量元素を含む。燃焼ガスは、タービン16を通って膨張し、588psiの臨界圧力と936℃の温度でそこから排出される。タービン16は、タービンの回転運動を電力に変換する発電機18を駆動するために、従来の方法で動作する。
　ポンプ等の駆動補助装置を駆動するために、タービン16から軸動力を利用することができる。このようなコネクタ23aは発電機18からポンプ24に示されている。タービン21から軸動力は、後述するように他の目的のために入手可能である。
　
タービン16に接続された追い焚きバーナー20は、燃焼ガスを1265℃の温度に再加熱する。なお、付加的な燃料及びO
2
を添加してもよい。
このガスは、再度タービン21を介して膨張させることができ、ガスは1007℃の低下した温度及び圧力294psiでそこから排出される。タービン21は、発電機22を駆動するために機械的に結合され、より詳細に以下に説明するポンプ24を動作させるためにライン23を介して利用可能な電力を供給する。
　
熱交換器26は、タービン21からの燃焼ガスを収容するダクト28を含む。ダクト30は、約31.1度の低温で、以下に説明するように超臨界形態に圧縮されている再循環二酸化炭素を収容している。ダクト28内の燃焼ガスは、ダクト30内の二酸化炭素に熱を伝達する。これにより、294psiの亜臨界圧力を維持したままで燃焼ガスは68℃の温度に冷却される。
　残りの燃焼ガス(主にまたは完全に二酸化炭素)は凝縮器33のダクト34を通過する。冷却水は、凝縮器33の第2のダクト36を通過して、ガスを冷却するか、又は二酸化炭素の臨界温度(すなわち約31℃)とするために、燃焼ガスから熱を吸収する。凝縮後の圧力は約294psiで低いままである。
　
サイクルのこの時点で、燃焼によって発生された過剰の二酸化炭素はバルブ38によって引き抜かれている。余剰のCO
2
は、高められた回収を可能にするための粘稠な油状析出物中への注入のため、または溶媒プロセスのために利用される。
　
残りの二酸化炭素は、燃焼ガス圧縮機42で1068.7psiと等しいかわずかに大きい圧力に圧縮される；図1では、1068.7psiの圧力が提供される。このような圧縮は、二酸化炭素の温度を76℃まで増加させる。
　この気体は第二凝縮器44のダクト43を通過し、第2ダクト46を通過する冷却水は、二酸化炭素を臨界温度よりわずかに低い、又はわずかに高い温度、例えば31.0℃に冷却する。燃焼ガス中のアルゴン、他の希ガスまたは不活性ガスは、弁47を介して容易に除去することができる。気体または液体の二酸化炭素は、超臨界段階で再循環二酸化炭素作動流体を提供するために超臨界ポンプ24により3000psiの超臨界(すなわち1068.7psi以上)圧に圧縮され、68℃の温度を有する。超臨界CO2は、強化された油回収、溶媒プロセスまたは単に産業への販売において使用するための弁Vによって引き出される。なお、ポンプ24は、以前説明した発電機の何れかによって操作されてもよい。この再循環された二酸化炭素は、熱交換器26で、高温の燃焼ガスと熱交換関係で通過する。超臨界圧力で再循環された二酸化炭素は、922℃の温度に加熱された。このようにして、大量の二酸化炭素のエンタルピーは回収され、エネルギー効率を向上される。
効率的に予熱された再循環二酸化炭素は、燃焼室14に供給される。
　
再循環二酸化炭素によって取られる代替経路によって示されるように、2つの直接燃焼技術が可能である：二酸化炭素を、バーナー14内での燃焼に先立って、バーナー14に酸素及び燃料と完全に混合する、バーナー14は、燃料と酸素の完全燃焼を達成するために触媒燃焼器を構成する。あるいは、予熱されたCO
2
の一部50は、タービン16を通って膨張し、バーナー20で加熱する前に燃焼生成物と混合することができる。
　これらの記載事項及び図面の図示内容を総合し、本願発明の記載ぶりに則り整理すると、引用文献１には、以下の発明（以下、「引用発明」という。）が記載されている。
「二酸化炭素発電システム10であって、
　タービン21からタービン21の燃焼ガスを出力するように、3000psiの圧力の再循環二酸化炭素をタービン16および前記タービン21全体に294psiの圧力で膨張させることと、
　前記タービン21内へ通す前に、追い焚きバーナー20において1265℃の温度の再加熱した燃焼ガスを形成するようにO2および前記タービン16を通って膨張した燃焼ガスの存在下で付加的な燃料を燃焼させることによって、前記タービン16を通って膨張した燃焼ガスを再加熱することと、
　熱交換器26において前記タービン21の燃焼ガスを冷却することと、
　前記再循環二酸化炭素を形成するために、前記熱交換器26で冷却された燃焼ガスからの前記再循環二酸化炭素の過剰を引き抜くことと、
　前記再循環二酸化炭素を圧縮することと、
　前記再循環二酸化炭素を前記タービン16及びタービン21に通すことと、
　を含む、二酸化炭素発電システム10。」
２　引用文献２
　原査定の拒絶の理由で引用された、本願の優先日前に頒布された又は電気通信回線を通じて公衆に利用可能となった引用文献である、国際公開第２０１２／００３０７９号（以下、「引用文献２」という。）には、図面（特に、図１を参照。）とともに次の記載が記載されている。
（ア）　「[0047] In at least one embodiment, a pressure drop of about 12-13 psia can be experienced across the combustion chamber 110 during stoichiometric or substantially stoichiometric combustion. 
Combustion of the fuel in line 112 and the compressed oxidant in line 114 can generate temperatures between about 2000 °F and about 3000 °F and pressures ranging from 250 psia to about 300 psia. As described above, because of the increased mass flow and higher specific heat capacity of the C0
2
 -rich exhaust gas derived from the compressed recycle exhaust gas in line 144, higher pressure ratios can be achieved across the expander 106, thereby allowing for higher inlet temperatures and increased expander 106 power.
[0048]
 The gaseous exhaust in line 122 exiting the expander 106 can exhibit pressures at or near ambient. In at least one embodiment, the gaseous exhaust in line 122 can have a pressure of about 13-17 psia.
（当審仮訳）
「［0047］少なくとも１つの実施形態では、化学量論的又は実質的に化学量論的燃焼中、約１２〜１３ｐｓｉａの圧力降下が燃焼チャンバ１１０の前後に生じる場合がある。
ライン１１２内の燃料及びライン１１４内の圧縮酸化体の燃焼により、約２０００°Ｆ（１０９３℃）〜約３０００°Ｆ（１６４９℃）の温度及び２５０ｐｓｉａ〜約３００ｐｓｉａの圧力を生じさせることができる。上述したように、ライン１４４内の圧縮再循環ガスから導き出されたＣＯ
2
に富む排ガスの質量流量の増大及び比熱容量の増大に鑑みて、膨張機１０６前後に高い圧力比を達成することができ、それにより入口温度を高くすると共に膨張機１０６の出力を増大させることができる。
［0048］
膨張機１０６から出るガス状排出物流１２２は、周囲圧力又は周囲圧力に近い圧力を示すことができる。少なくとも１つの実施形態では、ガス状排出物流１２２は、約１３〜１７ｐｓｉａの圧力を有するのが良い。
　これらの記載事項及び図面の図示内容を総合し、本願発明の記載ぶりに則り整理すると、引用文献２には、以下の事項（以下、「引用文献２の記載事項」という。）が記載されている。
「膨張機１０６に入れるガスは２５０ｐｓｉａ〜約３００ｐｓｉａの圧力を有し、膨張機１０６から出るガス状排出物流１２２は、約１３〜１７ｐｓｉａの圧力を有し、膨張機１０６前後に高い圧力比を達成することができること。」
第５　対比
　本願発明と引用発明とを対比すると、後者の「タービン21」はその機能、構成及び技術的意義からみて前者の「最後のタービン」に相当し、以下同様に、「タービン21の燃焼ガス」は「最後のタービン排気流」に、「再循環二酸化炭素」は「圧縮再利用ＣＯ２流」及び「ＣＯ２」に、「タービン16」は「第１のタービン」に、「追い焚きバーナー20」は「燃焼器」に、「再加熱した燃焼ガス」は「燃焼器排気流」に、「O2」は「酸化剤」に、「タービン16を通って膨張した燃焼ガス」は「第１のタービン排気流」及び「第１のタービンからの排気流」に、「付加的な燃料」は「炭化水素または炭素質燃料」に、「再加熱」は「加熱」に、「熱交換器26」は「再生熱交換器」に、「熱交換器26で冷却された燃焼ガス」は「冷却タービン排気流」に、「過剰」は「少なくとも一部」に、「引き抜く」は「隔離する」にそれぞれ相当する。そして、後者の「二酸化炭素発電システム10」は、前者の「発電方法」に相当する方法を備えることは明らかである。
　また、後者の「タービン16」及び「タービン21」からなるものは、その機能、構成及び技術的意義からみて前者の「一連の第１のタービンおよび前記最後のタービン全体」及び「一連のタービン」に相当し、同様に、「3000psiの圧力」は「少なくとも１２ＭＰａの圧力」に、「1265℃の温度」は「少なくとも８００℃の温度」に相当する。そして、後者の「3000psiの圧力」と「294psの圧力」は、前者の「少なくとも２０の圧力比」と「所定の圧力比」を備えるという限りで共通する。
　そうすると、後者の「タービン21からタービン21の燃焼ガスを出力するように、3000psiの圧力の再循環二酸化炭素をタービン16およびタービン21に294psの圧力で膨張させること」と前者の「最後のタービンから最後のタービン排気流を出力するように、少なくとも１２ＭＰａの圧力の圧縮再利用ＣＯ２流を一連の第１のタービンおよび前記最後のタービン全体に少なくとも２０の圧力比で膨張させること」とは、「最後のタービンから最後のタービン排気流を出力するように、少なくとも１２ＭＰａの圧力の圧縮再利用ＣＯ２流を一連の第１のタービンおよび前記最後のタービン全体に所定の圧力比で膨張させること」という限りで一致する。
　したがって、両者は、
「発電方法であって、
　最後のタービンから最後のタービン排気流を出力するように、少なくとも１２ＭＰａの圧力の圧縮再利用ＣＯ２流を一連の第１のタービンおよび前記最後のタービン全体に所定の圧力比で膨張させることと、
　前記最後のタービン内へ通す前に、燃焼器において少なくとも８００℃の温度の燃焼器排気流を形成するように酸化剤および前記第１のタービン排気流の存在下で炭化水素または炭素質燃料を燃焼させることによって、前記第１のタービンからの排気流を加熱することと、
　再生熱交換器において前記最後のタービン排気流を冷却することと、
　前記再利用ＣＯ２流を形成するために、前記冷却タービン排気流からの前記ＣＯ２の少なくとも一部を隔離することと、
　前記再利用ＣＯ２流を圧縮することと、
　前記再利用ＣＯ２流を前記一連のタービンに通すことと、
　を含む、発電方法。」
である点で一致し、次の点で相違する。
［相違点］
　所定の圧力比に関し、前者は「少なくとも２０の圧力比」であるのに対し、後者がかかる圧力比を備えていない点。
第６　判断
　相違点について検討する。
　「第４」「１」「（イ）」における、「Specific examples of pressure and temperatures are provided therein as merely illustrative of representative values of this invention and should not be construed as limiting the ranges provided in the claims.」（当審仮訳「圧力および温度の具体的な例は本発明の代表的な値の単なる例示として提供され、特許請求の範囲に提供される範囲を限定するものとして解釈されるべきではない。」）との記載からみて、引用発明における「3000psi」との圧力及び「294psi」との圧力は、引用発明における代表的な圧力であって、引用発明の要旨を変更しない範囲で他の圧力を採用し得るものである。そして、異なる圧力を採用すれば圧力比も変わることは例示するまでもない技術常識であることに鑑みれば、引用発明において、圧力を好適化することにより圧力比を好適化することは当業者の通常の創作能力の範囲で適宜なし得たことである。
　そして、「膨張機１０６に入れるガスは２５０ｐｓｉａ〜約３００ｐｓｉａの圧力を有し、膨張機１０６から出るガス状排出物流１２２は、約１３〜１７ｐｓｉａの圧力を有し、膨張機１０６前後に高い圧力比を達成することができること。」との引用文献２の記載事項からみて、タービン前後の圧力比として２０より大きな圧力比とすることで高い圧力比を達成することは、従来から知られた事項であるから、「少なくとも２０の圧力比」とすることについては、当業者の通常の創作能力の範囲で適宜採用し得たことといえる。
　さらに、本願の発明の詳細な説明の記載、特に段落【０１９５】の記載をみても「少なくとも２０の圧力比」とすることに、格別な技術的意義あるいは臨界的意義を見出すことはできない。
　そうすると、引用発明において、当業者の通常の創作能力の範囲で圧力比を好適化し、相違点に係る本願発明の発明特定事項とすることは、容易に想到し得たことである。
　また、本願発明は、全体としてみても、引用発明から予測し得ない格別な効果を奏するものではない。
　したがって、本願発明は、引用発明に基いて、当業者が容易に発明をすることができたものである。
第７　審判請求人の主張について
　請求人は、審判請求書において「当業者が圧力比を選択して最適化を行うことは、決して容易なことではありません。何故なら、単一のパラメータを修正することにより、カスケード効果が生じるため、単一のパラメータの調整においても、システム全体の調整を行わなければならないためです。引用文献に記載された発明では、タービン全体にわたる圧力比が容易に変化できるように記載されてはいません。これは、引用文献にはそのような変化の結果が一切記載されていないことからも明らかです。従って、当業者は、引用文献に記載された発明から本願発明を容易に想到し得る論理付けはできないものと思料します。」と主張する。
　しかしながら、「少なくとも２０の圧力比」とすることについて、本願の発明の詳細な説明には「２つのタービンを直列で使用して、１００バール〜６００バールの範囲にある高圧で加熱された高圧再利用ＣＯ２流を２０よりも大きい圧力比で膨張させる。好適には、第２のタービンの排気圧力は、１．５バール未満であり、場合により約１．１バールである。」（段落【０１９５】を参照。）と記載されるのみである。そして、１００バール〜６００バールの範囲の高圧再利用ＣＯ２流を２つのタービンを直列で使用して１．５バール未満とするのであれば、その圧力比は少なくとも６６よりも大きな値であって、２０を遙かに超えるものであるから、該「２０」との圧力比がどのような技術的意義を有するかを理解することができない。そして、２０以下の圧力比を採用した場合との比較により、２０を超える圧力比を採用したものが、従来知られていないような顕著な効果或いは異質な効果（所謂臨界的意義）を奏することは、本願の発明の詳細な説明には記載も示唆もない。すなわち、上述したように、本願の発明の詳細な説明の記載からは「少なくとも２０の圧力比」とすることに格別な技術的な意義、臨界的意義を見出すことはできない。
　また、「単一のパラメータの調整においても、システム全体の調整を行う」ことは、システムを最適に作動させるために当然行うことであり、例示するまでもない技術常識といえる。
　したがって、請求人の上記主張は当を得ない。
第８　むすび
　以上のとおり、本願発明は、特許法第２９条第２項の規定により特許を受けることができないから、他の請求項に係る発明について検討するまでもなく、本願は拒絶をすべきものである。
　よって、結論のとおり審決する。